(57)【要約】【課題】  柱の上端にビームを連結し、天井までは届かない高さのフレームにボードを着脱可能に取付けて構成する間仕切り装置の提供。【解決手段】  上記柱１，１の間には複数本のスタッド４，４・・・を起立し、このスタッド４，４・・・には受け２８，２８・・・を固定すると共に、該受け２８，２８・・・には上部開口３６と下部開口３７を設け、上記ボード３の下側コーナーを受け２８の上部開口３６に係合し、上側コーナーを受け２８の下部開口３７に係合して取付けている。【選択図】    図１
2011006975.tif 000002
【特許請求の範囲】
【請求項１】
柱の上端にビームを連結し、天井までは届かない高さのフレームにボードを着脱可能に取付けて構成する間仕切り装置において、上記柱の間には複数本のスタッドを起立し、このスタッドには受けを固定すると共に、該受けには上部開口と下部開口を設け、上記ボードの下側コーナーをスタッドに固定した受けの上部開口に係合し、上側コーナーをスタッドに固定した受けの下部開口に係合して取付けたことを特徴とするボードを着脱可能に備えた間仕切り装置。
【請求項２】
上記受けをスタッドの側面にネジ止めし、ボードの各コーナーを受けに係合して取付けた請求項１記載のボードを着脱可能に備えた間仕切り装置。
【請求項３】
上記ボードはペーパーコア等の芯材の両面にホワイトボード、化粧ボード、ピンナップボード、木質ボード、又はクロスボード等を貼着し、縁にはコ型断面のエッジを取着し、そして各コーナーにはコーナーエッジを取付けた請求項１、又は請求項２記載のボードを着脱可能に備えた間仕切り装置。
【発明の詳細な説明】
【技術分野】
【０００１】
本発明は会議の打ち合わせ事項、説明内容などを書き込むことが出来るボードを着脱可能に取付けることが出来る間仕切り装置に関するものである。ここで、間仕切り装置とは広義に解し、部屋の仕切り壁を構成する間仕切り装置、ローパーティションを構成する間仕切り装置、さらには部屋内部に設置されるブースの壁を構成する間仕切り装置など含める。
【背景技術】
【０００２】
昔から学校の教室や講義室の正面には黒板が取付けられ、先生はこの黒板に教える内容を記載することが出来、教えられる生徒は黒板に記載された内容を見て理解し、必要に応じてノートしたりする。近年ではこの黒板に代わって、より学習の効果を高めるためにＯＨＰ等の幻灯機やスライド映写機等の映像を表示するスクリーン等の各種補助機能を有する補助ボードを並設している場合も多い。
【０００３】
特開平８−５８２８７号に係る「角度調節手段を有する教育用ボード」は、主に教室や講義室等の前面に設ける教育用ボードの角度を受講者に対して前後方向に調節する角度調節手段を有している。
すなわち、角度調節手段を有する教育用ボードは、一定の厚さの板状であるボード部材と、このボード部材の外周縁に設けた外郭枠と、この外郭枠を支点により支持する支持枠と、ボード部材を受講者に対して前後方向にその角度を調節する角度調節手段とから成っている。
【０００４】
特開平７−２６６７８７号に係る「教育用ボード」は、主に教室や講義室等の壁面に設ける教育用ボードであり、上下に昇降されるボード部材と左右にスライドするボード部材の高さを一致させ、スライドするボード部材が円滑に移動できるようにしている。
【０００５】
従来の黒板やボードは、学校の教育用として使用する場合に限るものではなく、会社の会議室や打ち合せ室に設置することも出来、会議や打ち合せ内容を該黒板やボードに記載している。又、会議の内容、及び打ち合せ内容を黒板やボードに記載して、参加する他の人に説明する為に使用される場合も多い。ところで、該黒板やボードはその大きさが限られ、新たな事項を記載する場合には既に記載されている事項を消さなくてはならない。
【０００６】
又、従来の黒板やボードは床面からほぼ垂直に起立した状態で設置されているが、学校の教室や講義室にて先生が授業を行う場合であれば、これで何ら問題はない。しかし、複数人が集まって打ち合せを行う場合には、起立して設置されている従来の黒板やボードでは不便を感じることも多い。すなわち、打ち合わせに参加している複数の人が対等の立場で意見を述べたり、内容を記載するには打ち合せ室の正面に垂直に設置される従来型の黒板やボードを使用し難い。
【０００７】
勿論、ボードの場合、打ち合せ室正面壁に固定されることなく、キャスターを有す架台に取付けられていて、その設置場所を移動することは出来るが、各自の考えを記載するには該ボードまで移動することが必要となり、複数人が自由に意見を出し合う打ち合せの場を作りにくい。
【０００８】
【特許文献１】特開平８−５８２８７号に係る「角度調節手段を有する教育用ボード」
【特許文献２】特開平７−２６６７８７号に係る「教育用ボード」
【発明の開示】
【発明が解決しようとする課題】
【０００９】
このように、従来の黒板やボードには上記のごとき問題がある。本発明が解決しようとする課題はこれら問題点であり、打ち合せテーブルに水平に置いて参加者各自が場所を移動することなく、その場で自由に記入することが出来るボードであり、該ボードを着脱出来るように備えた間仕切り装置を提供する。
【課題を解決するための手段】
【００１０】
本発明では、会議や打ち合せ、時には学校の講義や授業において使用されるボード（黒板を含む）を間仕切り装置の壁面として機能するように吊設し、必要に応じて取外しすることが出来る構造としている。ここで、該ボードを吊設する具体的な構造は限定しないが、一般には間仕切り装置のスタッドに設けた受けに係合して吊設することが出来る。
【００１１】
そしてボードはホワイトボード、化粧ボード、ピンナップボードなどが対象とされ、間仕切り装置から取外されたボードは打ち合せテーブル上に水平に載置することが出来る。ボードの大きさや重さは着脱するに適したものとし、間仕切り装置のフレームには複数枚のボードが取付けられる構造とし、記載するスペースの不足で既に記載している事項を消すことがないようにしている。
【００１２】
該ボードは四角形としてその四隅が受けに係合して取付けられる。そこで、スタッドには上記受けを設けているが、スタッドは床面にアジャスターを介して起立し、その上端はビームまで達している。ところで、これら複数枚のボードを取付けるフレームは柱の上端にビームが連結して構成しているが、フレーム強度を確保する為に柱とビームの連結強度は強固に成っている。
【発明の効果】
【００１３】
本発明に係る間仕切り装置はその側壁を複数枚のボードにて構成し、該ボードは着脱可能に吊設されている。従って、会議や打ち合せを行う場合、吊設しているボードを取外してテーブル上に水平に載置することが出来、目の前にあるボードに参加者は自由に考えを記入できる。会議室や打ち合せ室の正面に垂直に起立している従来型のボードや黒板の場合であれば、その場所まで移動して記入しなくてはならない。
【００１４】
従って、従来型黒板ではチョットしたアイディアや些細な考えを他人の前でボードに記入し難く、ためらってしまうことも多い。これに対して、テーブル上の目の前に載置されているボードであれば、些細に考えやアイディアであっても、何らためらうことなく該ボードに記入でき、各自の意見や考えを引き出すことが出来る打ち合せ及び会議を行う上で効果が高い。そして、フレームには複数のボードが吊設されることで、全部のボードを使用するならば、記載してあるボードを消す必要はない。
【００１５】
本発明では複数本のスタッドを等間隔で起立したフレームを構成し、このフレームのスタッドに設けた受けに係合して取付ける構造であり、着脱作業は簡単であり、又便利でもある。
【図面の簡単な説明】
【００１６】
【図１】本発明に係る間仕切り装置の外観斜視図。
【図２】本発明に係る間仕切り装置で、(ａ)は平面図、(ｂ)は正面図。
【図３】Ｌ形天井を有すフレームを備えた間仕切り装置の平面図。
【図４】Ｔ形天井を有すフレームを備えた間仕切り装置の平面図。
【図５】複数毎のボードを取付けた間仕切り装置の正面図。
【図６】ボードの具体例。
【図７】ボードを支持する受けの具体例。
【図８】間仕切り装置の横断面図。
【図９】間仕切り装置の縦断面図。
【図１０】柱とビームの連結構造を示す横断面図。
【図１１】柱の溝に嵌る第1連結部材の具体例。
【図１２】ビーム先端に固定される第２連結部材の具体例。
【図１３】柱にビームを連結する工程。
【図１４】ビームの縦断面図。
【発明を実施するための形態】
【００１７】
図１は本発明に係る間仕切り装置の１形態で、部屋内部に設置されるブースを示している。同図の１は柱、２はビーム（上桟）、３はボードを夫々表し、４本の柱１，１・・・は床面から垂直に起立して四隅に設けられ、これら各柱１，１・・・の上端にはビーム２，２・・・が水平に掛け渡されて互いに連結している。そして、両柱１，１の間には５本のスタッド４，４・・が起立し、その内の２本は柱１，１に面して起立している。上記ボード３，３・・・はスタッド４，４・・・に固定している受けに係合して取付けられ、ブースの側壁を構成している。
【００１８】
同図に示す間仕切り装置はコ型を形成して１面にはボードを取付けていない開口面としている。そして、ボード３，３・・・は１面に１２枚取付けられ、全体で３６枚のボード３，３・・・を備えた間仕切り装置と成っており、これら各ボード３，３・・・は自由に取外しすることが出来、又受けに係合するだけで簡単に取付けることが出来る。
【００１９】
同図に示すコ型ブースを形成した間仕切り装置は、天井と１側面はオープン状態と成っているが、その他の側面にはボード３，３・・・が取付けられていることで間仕切り装置としての側壁を構成している。しかし、該間仕切り装置のフレームは４本の柱１，１・・・と４本のビーム２，２・・・で構成しているが、柱１，１・・・の上端に連結するビーム２，２・・・の連結構造は強固に成っており、フレームの強度・剛性を保っている。
【００２０】
勿論、間仕切り装置の３側面を全てボードで構成する必要はなく、一般的な間仕切りパネルを取付ける場合もあり、移動式パネルを取付けることも自由である。ところで、同図に示す間仕切り装置は大きな空間に独立して設置されるタイプであるが、建物の壁面を一部兼用した間仕切り装置とすることも可能である。図２は両側と奥側を建物の壁面５として正面にフレームを設置した場合であり、柱１，１は壁面５，５に面して起立し、そして両柱１，１の上端にビーム２が水平に掛架して連結している。ここで、ビーム２は天井との間に空間を残しており、正面には両側に出入口と成る空間を残して複数枚のボード３，３・・・が起立するスタッド４，４・・に取付けられている。
【００２１】
図３は３本の柱１ａ，１ｂ，１ｃを起立してＬ形フレームを構成している間仕切り装置で、壁面５，５とで小空間を形成している。この場合は片面に固定式間仕切りパネルや移動式パネルを取付ける場合もあるが、他方面には複数枚のボード３，３・・・が取付けられて間仕切り装置の側面を構成している。又、図４は前記図２の間仕切り空間の中央に別な仕切りを設けた間仕切り装置を示している。このように、本発明の間仕切り装置は四方をパネルで囲むのではなく、建物の壁面とで間仕切り空間を形成することが出来る。何れの形態の間仕切り装置の場合も、柱１，１・・・を起立し、各柱１，１・・・の上端にビーム２，２・・・を掛架してフレームが構成される。
【００２２】
このように本発明の間仕切り装置の形態は色々あり、図１、図２、図３、図４に示す場合に限定するものではないが、柱１の上端にビーム２を強固に連結してフレームを構成し、このフレームにボード３，３・・・が取付けられる点は共通している。そして、柱１，１・・・の下端にはアジャスターが取付けられて、フレーム全体の高さ調整が行われる。
【００２３】
図５は両柱１，１間に１２枚のボード３，３・・・を配列した場合の正面図であり、これらボード３，３・・・は垂直に起立しているスタッド４，４・・・に取着した受け２８，２８・・・に係合して取付けられている。該受け２８，２８・・・はスタッド４，４・・・の側面に固定され、ボード３，３・・・の各コーナーが係合することが出来る溝を形成している。
【００２４】
図６はボード３を単独で表している具体例である。同図に示すボード３はペーパーコア２９の両面にホワイトボード３０，３０を貼着し、その四方側縁にはコ型断面のエッジ３１，３１・・・を取付け、又コーナーにはコーナーエッジ３２，３２・・・を取付けている。しかし、該ボード３の表面は上記ホワイトボード３０，３０に限るものではなく、化粧ボード、ピンナップボード、木質ボード、又はクロスボード等を用いる場合もある。
【００２５】
図７はボード３のコーナーが係合して支えることが出来る受け２８を示す具体例である。該受け２８は同図に示すように、基部３５の正面側には正面板３３と背面側には背面板３４を有し、基部３５の上方には正面板３３と背面板３４との間に上部開口３６を形成し、基部３５の下方には正面板３３と背面板３４との間に下部開口３７を形成している。そして、この受け２８は基部３５をネジ止めすることでスタッド４の側面に取着される。
【００２６】
図８は受け２８，２８・・にボード３を係合して取付けた場合の横断面図、図９は受け２８，２８・・にボード３を係合して取付けた場合の縦断面図を夫々示している。このように、各受け２８，２８・・・はスタッド４，４・・にネジ止めされ、上部開口３６，３６・・に下側のコーナーエッジ３２，３２・・・が係合し、下部開口３７，３７・・・には上側のコーナーエッジ３２，３２・・が係合することで、各ボード３，３・・・が取付けられる。受け２８，２８・・・に係合して取付けられた状態では、上部開口３６，３６・・・の底に下側コーナーエッジ３２，３２・・・が当って支持される。
【００２７】
スタッド４は床面３８に載置されるアジャスター３９にて適度な高さに支持され、スタッド上端はビーム２の下縁に設けているガイド片４０，４０に嵌って位置決めされている。ここで、床面３８に沿って下部サブビーム４１が設けられて先端の嵌合片はスタッド４の下端に嵌って位置決めされ、同じく上部サブビーム４２はビーム２に沿って設けられると共に先端の嵌合片はスタッド４の上端に嵌って位置決めしている。又。上部サブビーム４２はビーム２の両ガイド片４０，４０に嵌ると共に止め板４３にネジ止めされている。
【００２８】
このように、フレームにボード３，３・・が取付けられるが、フレームの強度・剛性は高くなくてはならない。ビーム２は柱１の側面に当接して連結されてネジ止めにて固定される。すなわち、該ビーム２はアルミの押出し材で、連続した貫通穴を形成している為に、先端に第２連結部材１０を前以て取着し、この第２連結部材１０を柱１の側面にネジ止めすることが出来る。勿論、柱側にも別の第１連結部材９を取付けて互いにネジ止めされる。
【００２９】
図１０は柱１とビーム２の連結構造の横断面を示す具体例である。該柱１は側面にカバー６，６・・・を取付け、該カバー６，６・・は取外しすることが出来る。カバー６を取外すことで溝７が柱１に沿って形成され、該溝７は柱１の側面に開口すると共に両側には小さい係止片８，８を有している。そして、この溝７に上記第１連結部材９が嵌合し、両係止片８，８に係止することで側面の開口から第１連結部材９が外れることはない。一方、ビーム２の先端には第２連結部材１０が固定されている。
【００３０】
図１１は上記第１連結部材９を示す具体例である。第１連結部材９は同図に示すように、細長い長方形の板状体であって、２個のネジ穴１１，１１が斜めに設けられ、これらネジ穴１１，１１の間に２個の穴１２，１２を貫通して設けている。又、上端にはネジ１３を螺合し、その先端を僅かに背面側へ突出している。そして、第１連結部材９の両側には柱１の溝両側に設けた係止片８，８が係止することが出来る切欠き１４，１４を全長にわたって形成している。
【００３１】
図１２はビーム先端に固定される第２連結部材１０を示す具体例である。この第２連結部材１０も細長い長方形の板状体を成し、中央には２本のネジ１５，１５を螺合し、その先端を表面（柱側）へ突出している。そして、上端部と下端部にはボルトが挿入される段付き穴１６，１６を傾斜して設けている。又、この第２連結部材１０をビーム２の先端にネジ止めする為に、ネジが挿入される穴１７，１７・・・が上記段付き穴１６，１６とは反対側に４ヶ所に設けている。一方、第２連結部材１０の上端には切欠き部１８が設けられ、下端には別の切欠き部１９を設けている。
【００３２】
図１３はビーム２を柱１の側面に連結する工程を示す具体例である。
（ａ）はビーム２の先端に第２連結部材１０をネジ止めした場合である。ネジ止め用のネジ２０，２０・・・は第２連結部材１０に設けた穴１７，１７・・に挿入されてビーム２のネジ穴に螺合して固定される。ここで、第２連結部材１０の内側から螺合したネジ１５，１５の先端が表面２１から延びている。
【００３３】
（ｂ）第１連結部材９を第２連結部材１０の表面から突出した上記２本のネジ１５，１５に係止した場合である。又、第１連結部材９の上端背面２２にはネジ１３が突出している。このように、ネジ１５，１５は穴１２，１２に嵌って第１連結部材９が支持され、この状態で柱１に設けた溝７に第１連結部材９が嵌入する。前記図５に横断面を示しているように、溝７は第１連結部材９がガタ付くことなく嵌入出来る大きさと成っている。そこで、第２連結部材１０から突出した２本のネジ１５，１５にて支持することで、第１連結部材９の向きを正しく定めて溝７に嵌入し易くなる。
【００３４】
そして、一旦、溝７に嵌った第１連結部材９は仮にネジ１５，１５から外れても上端部に突出したネジ１３が柱１のリブ２３に係止して落下することはない。ここで、ボルト２４，２４を段付き穴１６，１６に挿入して第１連結部材９のネジ穴１１，１１に一部螺合した仮止め状態として、柱１の溝７に嵌入することも出来る。
【００３５】
（ｃ）このように、溝７に嵌った第１連結部材９は第２連結部材１０の背面側から斜めに挿入したボルト２４，２４によって絞め付けられる。すなわち、ボルト２４，２４は第１連結部材９に設けたネジ穴１１，１１に螺合して絞め付けられ、その結果、第２連結部材１０の表面は柱１の側面に当接すると共に圧着して固定される。そして、ボルト２４，２４は第１連結部材９のネジ穴１１，１１を貫通し、柱１のリブ２３に設けた穴をも貫通している。
【００３６】
このように、ビーム２は柱１の側面に強固に連結され、フレームが構成される。そして、ビーム２の上側凹溝２５に電気配線が収容されることもあり、この配線は第２連結部材１０の上端に設けた切欠き部１８を通って柱１の溝７に納まることが出来る。勿論、第１連結部材９にて切欠き部１８が塞がれないように短く成っている。一方、ビーム２にパネルを取付けない場合には下側凹溝２６には図１４にビームの縦断面を示すようにカバー２７が取付けられる。第２連結部材１０の下端の切欠き部１９は、このカバー２７を取付ける為のものである。
【符号の説明】
【００３７】
１  柱
２  ビーム
３  ボード
４  スタッド
５  壁面
６  カバー
７  溝
８  係止片
９  第１連結部材
10  第２連結部材
11  ネジ穴
12  穴
13  ネジ
14  切欠き
15  ネジ
16  段付き穴
17  穴
18  切欠き部
19  切欠き部
20  ネジ
21  表面
22  背面
23  リブ
24  ボルト
25  凹溝
26  凹溝
27  カバー
28  受け
29  ペーパーコア
30  ホワイトボード
31  エッジ
32  コーナーエッジ
33  正面板
34  背面板
35  基部
36  上部開口
37  下部開口
38  床面
39  アジャスター
40  ガイド片
41  下部サブビーム
42  上部サブビーム
【図１】
2011006975.tif 000003
【図２】
2011006975.tif 000004
【図３】
2011006975.tif 000005
【図４】
2011006975.tif 000006
【図５】
2011006975.tif 000007
【図６】
2011006975.tif 000008
【図７】
2011006975.tif 000009
【図８】
2011006975.tif 000010
【図９】
2011006975.tif 000011
【図１０】
2011006975.tif 000012
【図１１】
2011006975.tif 000013
【図１２】
2011006975.tif 000014
【図１３】
2011006975.tif 000015
【図１４】
2011006975.tif 000016